(57)【要約】      （修正有）【課題】注出口部に埃が付着したり、人の手に触れたりすることを防止でき、開封時に液体内容物の漏れがないスパウト及びスパウト付きパウチを提供することにある。【解決手段】パウチ本体に内容物を注出可能に接合されると共に、パウチ本体の中に収容され密封されるスパウト付きパウチに用いられるスパウト１であって、スパウトは、一方の側が開口部、他方の側が閉塞部１２とされた外管１０と、外管に嵌挿される内管２０を備え、スパウトの外管は一方の側の外周面にパウチ本体に接合される接合部２５と、接合部と閉塞部の間の周壁に流出口部１５とを備え、スパウトの内管は、一方の側の開口が飲み口２１とされ、他方の側の開口が導入口２４とされ、内管が外管に伸縮自在に嵌挿されていることを特徴とするスパウト及びスパウト付きパウチである。【選択図】図４
2019064712.tif 000002
【特許請求の範囲】
【請求項１】
パウチ本体に内容物を注出可能に接合されると共に、前記パウチ本体の中に収容され密封されるスパウト付きパウチに用いられるスパウトであって、
前記スパウトは、一方の側が開口部とされ、他方の側が閉塞部とされた外管と、前記外管に嵌挿される内管と、を備え、
前記スパウトの前記外管は、一方の側の外周面に前記パウチ本体に接合される接合部と、前記接合部と前記閉塞部の間の周壁に流出口部とを備え、
前記スパウトの前記内管は、一方の側の開口が飲み口とされ、他方の側の開口が導入口とされ、
前記内管が前記外管に伸縮自在に嵌挿されていることを特徴とするスパウト。
【請求項２】
前記スパウトの前記外管は、一方の側に第一係止部と、他方の側に第二係止部とを備え、
前記スパウトの前記内管は、前記導入口の側の外周面に前記第一係止部及び前記第二係止部に係合する係合部を備えていることを特徴とする請求項１に記載のスパウト。
【請求項３】
前記外管の前記閉塞部に前記内管の前記導入口が当接または近接したとき、前記閉塞部が前記内管の内周面と係合する凸部を備えることを特徴とする請求項１または請求項２に記載のスパウト。
【請求項４】
一方の側に開口部を備え内容物を注出するスパウトと、
内容物を収容する収容部と前記スパウトの一方の側を被覆するスパウト被覆部に区画する仕切り部を備えたパウチ本体と、
を備え、
前記スパウトが前記パウチ本体の前記仕切り部に内容物を注出可能に接合されると共に、前記パウチ本体の中に収容され密封されたスパウト付きパウチであって、
前記スパウトは、一方の側が開口部とされ、他方の側が閉塞部とされた外管と、前記外管に嵌挿される内管と、を備え、
前記外管は、一方の側の外周面に前記パウチ本体の前記仕切り部に接合される接合部と、前記接合部と前記閉塞部の間の周壁に流出口部とを備え、
前記内管は、一方の側の開口が飲み口とされ、他方の側の開口が導入口とされ、
前記内管が前記外管に伸縮自在に嵌挿されていることを特徴とするスパウト付きパウチ。
【請求項５】
前記パウチ本体の前記スパウト被覆部の側に前記仕切り部に沿って開封用切取線が設けられていることを特徴とする請求項４に記載のスパウト付きパウチ。
【請求項６】
前記スパウトの前記外管は、一方の側に第一係止部と、他方の側に第二係止部とを備え、
前記スパウトの前記内管は、前記導入口の外周面に前記第一係止部及び前記第二係止部に係合する係合部を備えていることを特徴とする請求項４または請求項５に記載のスパウト付きパウチ。
【請求項７】
前記スパウトの前記外管の前記閉塞部に前記内管の前記導入口が当接または近接したとき、前記閉塞部が前記内管の内周面と係合する凸部を備えることを特徴とする請求項４乃至請求項６のいずれかに記載のスパウト付きパウチ。
【発明の詳細な説明】
【技術分野】
【０００１】
本発明は、パウチ本体に内容物を注出可能に接合されると共に、パウチ本体の中に収容され密封されるスパウト付きパウチに用いられるスパウト及びスパウト付きパウチに関する。
【背景技術】
【０００２】
従来、熱融着性樹脂を用いた熱融着性樹脂層とバリア性を有する中間層と耐熱性を有する基材層等を積層した積層体（フレキシブル包材）を用いたパウチ（包装袋）に例えば、ジュース類、スポーツドリンク、栄養ドリンク剤、飲料水、お茶、コーヒー飲料、ゼリー状飲料等の比較的粘性の低い液状物等を充填し、この液状物を吸飲または注出するためのストローやスパウト（注出装置、注出口）を備えた多様のスパウト付きパウチが使用されている。このようなスパウト付きパウチは、軽量で持ち運びやすく、しかも変形自在で取り扱い易いことから、フレキシブル包材からなる自立袋、カゼット袋、その他等の種々の形態からなるプラスチックを主体としたパウチが使用され、さらには、開封が簡単であり、かつ、液体内容物を容易に吸飲あるいは容易に注出できる構成を備えている。
【０００３】
このような構成を備えた袋として、ストロー部を袋状容器に内蔵した袋状容器が広く知られている（例えば、特許文献１参照）。しかし、この袋状容器は、ストロー部が袋状容器に内蔵されているが、ストロー部の吸口部となる上部は袋状容器から突出して露出している。この突出した部分にキャップが装着されているものの、輸送中、保管中、または店頭販売中に突出した部分に埃が付着したり、人の手に触れたりする恐れがあり、キャップで覆われていないストロー部の外周が不衛生になりやすいという問題がある。
【０００４】
一方、上部にストロー保持部が形成された袋状容器にストローを途中で折り曲げた状態でストロー保持部に内蔵しておき、飲用の際、袋状容器を引裂きストロー保持部を開口し、その開口より折り曲げた状態のストローを手で摘まんでストローの開口端を引き出し、液体内容物を吸飲する構成のストロー入り飲料用袋状容器が知られている（例えば、特許文献２参照）。特許文献２のストロー入り飲料用袋状容器は、ストローが袋状容器に内蔵されているので、外部からの埃が付着したり、人の手に触れたりすることが防げ、特許文献１の袋状容器より衛生性に優れている。しかし、特許文献２のストロー入り飲料用袋状容器は、折り曲げた状態でストローが内蔵されているのでストローが取り出しにくいという問題がある。さらに、ストローは液体内容物で濡れているので手が汚れるという問題がある。
【０００５】
一方、上部に細幅状の鉛直方向に延びる首部を備え、下部にガセット部を備えた袋状の飲料容器にストローが内蔵された袋状の飲料容器が知られている（例えば、特許文献３参照）。特許文献３の袋状の飲料容器は、ストローの上部が首部内に位置し、首部とガセット部の間にストローを保持する保持部を備え、保持部の位置で袋状容器を引裂き、首部を取り除き、露出したストローより吸飲するものである。したがって、ストローの吸口部分は首部で被覆されているので衛生性に優れ、ストローも引き出す必要がないので便利なものである。しかし、ストローはガセット部内と首部内とを連通させているので輸送中に加わる振動や外力、あるいは、物流や販売でのハンドリング等によりガセット部に収容された液体内容物が首部の中に漏れることがある。さらに、ストローは首部の保持部で袋状容器に密接されているだけで接合されていないために袋状容器に振動や外力が加わったとき、液体内容物が首部の中に漏れることがある。その結果、保持部の位置で袋状容器を引裂いたとき、首部の中に漏れた液体内容物が飛散し、周りを汚したり、衣服を汚したりすることがある。
【先行技術文献】
【特許文献】
【０００６】
【特許文献１】特開平１１−１５２１５２号公報
【特許文献２】特開平８−３３７２５５号公報
【特許文献３】特開２００２−６８３１１号公報
【発明の概要】
【発明が解決しようとする課題】
【０００７】
そこで本発明は、上記問題を解決すべくなされたものであり、その目的とするところは輸送中、保管中、または店頭販売中に注出口の部分に埃が付着したり、人の手に触れたりすることを防止でき、開封時に液体内容物の漏れがないスパウト付きパウチに用いられるスパウト及びスパウト付きパウチを提供することにある。
【課題を解決するための手段】
【０００８】
請求項１に記載の本発明は、パウチ本体に内容物を注出可能に接合されると共に、前記パウチ本体の中に収容され密封されるスパウト付きパウチに用いられるスパウトであって、前記スパウトは、一方の側が開口部とされ、他方の側が閉塞部とされた外管と、前記外管に嵌挿される内管と、を備え、前記スパウトの前記外管は、一方の側の外周面に前記パウチ本体に接合される接合部と、前記接合部と前記閉塞部の間の周壁に流出口部とを備え、前記スパウトの前記内管は、一方の側の開口が飲み口とされ、他方の側の開口が導入口とされ、前記内管が前記外管に伸縮自在に嵌挿されていることを特徴とするスパウトである。
【０００９】
請求項２に記載の本発明は、請求項１に記載のスパウトにおいて、前記スパウトの前記外管は、一方の側に第一係止部と、他方の側に第二係止部とを備え、前記スパウトの前記内管は、前記導入口の側の外周面に前記第一係止部及び前記第二係止部に係合する係合部を備えていることを特徴とするものである。
【００１０】
請求項３に記載の本発明は、請求項１または請求項２に記載のスパウトにおいて、前記外管の前記閉塞部に前記内管の前記導入口が当接または近接したとき、前記閉塞部が前記内管の内周面と係合する凸部を備えることを特徴とするものである。
【００１１】
請求項４に記載の本発明は、一方の側に開口部を備え内容物を注出するスパウトと、内容物を収容する収容部と前記スパウトの一方の側を被覆するスパウト被覆部に区画する仕切り部を備えたパウチ本体と、を備え、前記スパウトが前記パウチ本体の前記仕切り部に内容物を注出可能に接合されると共に、前記パウチ本体の中に収容され密封されたスパウト付きパウチであって、前記スパウトは、一方の側が開口部とされ、他方の側が閉塞部とされた外管と、前記外管に嵌挿される内管と、を備え、前記外管は、一方の側の外周面に前記パウチ本体の前記仕切り部に接合される接合部と、前記接合部と前記閉塞部の間の周壁に流出口部とを備え、前記内管は、一方の側の開口が飲み口とされ、他方の側の開口が導入口とされ、前記内管が前記外管に伸縮自在に嵌挿されていることを特徴とするスパウト付きパウチである。
【００１２】
請求項５に記載の本発明は、請求項４に記載のスパウト付きパウチにおいて、前記パウチ本体の前記スパウト被覆部の側に前記仕切り部に沿って開封用切取線が設けられていることを特徴とするものである。
【００１３】
請求項６に記載の本発明は、請求項４または請求項５に記載のスパウト付きパウチにおいて、前記スパウトの前記外管は、一方の側に第一係止部と、他方の側に第二係止部とを備え、前記スパウトの前記内管は、前記導入口の外周面に前記第一係止部及び前記第二係止部に係合する係合部を備えていることを特徴とするものである。
【００１４】
請求項７に記載の本発明は、請求項４乃至請求項６のいずれかに記載のスパウト付きパウチにおいて、前記スパウトの前記外管の前記閉塞部に前記内管の前記導入口が当接または近接したとき、前記閉塞部が前記内管の内周面と係合する凸部を備えることを特徴とするものである。
【発明の効果】
【００１５】
本発明のスパウト付きパウチに用いられるスパウト及びスパウト付きパウチによれば、輸送中、保管中、または店頭販売中に注出口の部分に埃が付着したり、人の手に触れたりすることを防止でき、開封時に液体内容物の漏れがないものとできる。
【図面の簡単な説明】
【００１６】
【図１】本発明に係るスパウト付きパウチに用いるスパウトの半断面図である。
【図２】本発明に係るスパウト付きパウチに用いるスパウトの外管を示し、（イ）は斜視図、（ロ）はＡ−Ａ線における外管の断面図、（ハ）はＢ−Ｂ線における外管の断面図である。
【図３】本発明に係るスパウト付きパウチに用いるスパウトの内管を示し、（イ）は斜視図、（ロ）はＣ−Ｃ線における内管の断面図、（ハ）はＤ−Ｄ線における内管の断面図である。
【図４】本発明に係るスパウト付きパウチに用いるスパウトの使用方法を説明する説明図である。
【図５】本発明に係るスパウト付きパウチの一実施形態を示し、（イ）は一部切り欠いた斜視図、（ロ）はスパウト付きパウチのパウチ本体の積層構成を示す断面図、（ハ）はスパウト付きパウチのその他の実施形態を示す斜視図である。
【図６】本発明に係るスパウト付きパウチの使用方法を説明する説明図である。
【発明を実施するための形態】
【００１７】
上記の本発明について、図面等を用いて以下に詳述する。
図１は本発明に係るスパウト付きパウチに用いるスパウトの半断面図、図２は本発明に係るスパウト付きパウチに用いるスパウトの外管を示し、（イ）は斜視図、（ロ）はＡ−Ａ線における外管の断面図、（ハ）はＢ−Ｂ線における外管の断面図、図３は本発明に係るスパウト付きパウチに用いるスパウトの内管を示し、（イ）は斜視図、（ロ）はＣ−Ｃ線における内管の断面図、（ハ）はＤ−Ｄ線における内管の断面図、図４は本発明に係るスパウト付きパウチに用いるスパウトの使用方法を説明する説明図、図５は本発明に係るスパウト付きパウチの一実施形態を示し、（イ）は一部切り欠いた斜視図、（ロ）はスパウト付きパウチのパウチ本体の積層構成を示す断面図、（ハ）はスパウト付きパウチのその他の実施形態を示す斜視図、図６は本発明に係るスパウト付きパウチの使用方法を説明する説明図であり、図中の１はスパウト、１０は外管、１１は開口部、１２は閉塞部、１３は接合部、１４は外筒部、１５は流出口部、１６は第一係止部、１７は第二係止部、１８は凸部、２０は内管、２１は飲み口、２２は段部、２３は内筒部、２４は導入口、２５は係合部、３、３’はスパウト付きパウチ、３０はパウチ本体、３１は胴部材、３２は底部材、３３は熱融着部、３４は仕切り部、３５は収容部、３６、３６’はスパウト被覆部、３６ａは切取片、３７は開封用切取線、３８はノッチ、４０は積層体、４１は外層、４２は中間層、４３は内層をそれぞれ示す。
【００１８】
図１は本発明に係るスパウト付きパウチに用いるスパウト１の半断面図であって、右側がスパウト１の正面図、左側が断面図である。図１に示すようにスパウト１は、一方の側（上側）が開口部１１（図２参照）とされ、他方の側（下側）が閉塞部１２とされた外管１０と、外管１０に嵌装される内管２０を備え、内管２０は外管１０に伸縮自在に嵌挿されている。
【００１９】
図２に示すようにスパウト１の外管１０は、上側が開口部１１とされ、下側が閉塞部１２とされている。開口部１１側の外周面にパウチ本体３０（図５参照）に接合される接合部１３を備え、接合部１３の下方に外筒部１４が連設され、外筒部１４の下端は閉塞部１２とされている。接合部１３と外筒部１４の下端の閉塞部１２の間の周壁に流出口部１５を備えている。接合部１３の外郭形状は平面視略舟形状で中央部は中空で外筒部１４の内壁と連通している。図２（イ）に示すように接合部１３は中央から両側縁に向けて漸次厚みが薄くなっている。そうすることにより、パウチ本体３０を構成する積層体４０（図５参照）からなる２枚の胴部材３１の間に接合部１３を挟持させ、例えば、ヒートシールにより熱融着して接合したとき、接合部１３をパウチ本体３０に密接して取り付けられるので液漏れの恐れがなく好ましい。
【００２０】
外管１０の流出口部１５は外筒部１４の上下方向に周壁を切り欠く縦長の長方形状に形成されている。流出口部１５の形状は特に限定されず例えば、上下方向に縦長の楕円形状であってもよい。また、流出口部１５は周壁に一対設けているが限定されるものではない。周壁の対向する位置に一対設ける方が液体内容物の流出が円滑になるので好ましい。外管１０の外筒部１４は、一方の側に接合部１３に連設する部分に第一係止部１６が形成されている。第一係止部１６は外筒部１４の周壁を横長に切り欠く長方形状に形成されている。他方の側に閉塞部１２に隣接して外筒部１４の周壁を横長に切り欠く長方形状の第二係止部１７が形成されている。第一係止部１６及び第二係止部１７は図２（イ）に示すように外筒部１４の対向する位置にそれぞれ一対形成されている方が好ましいものである。また、閉塞部１２の接合部１３側の面には、上方に突き出る環状凸部として凸部１８を備える。
【００２１】
スパウト１の内管２０は、図３に示すように上下に開口を備えた筒状であり、上下方向に細長い筒状の内筒部２３と、内筒部２３の上部に段部２２を介して内筒部２３の径より少し外側に大きい径とされた飲み口２１が延設されている。すなわち、内管２０の一方の側（上側）の開口が飲み口２１とされ、他方の側（下側）の開口が導入口２４とされている。内筒部２３の導入口２４の側の外周面に凸状の係合部２５を備えている。係合部２５は内筒部２３の対向する位置に一対形成されている。係合部２５は、外管１０の第一係止部１６及び第二係止部１７に係合するものであり、内管２０が外管１０に安定して支持されるので一対設ける方が好ましい。
【００２２】
内管２０を外管１０に嵌挿するとセットアップ完了となり図１に示す状態のスパウト１が完成する。セットアップが完了した状態がスパウト１が最も縮められた状態で図１に示す上下方向の長さが最短となる。セットアップ完了状態になると、内管２０の段部２２の下面が、外管１０の接合部１３の上面に当接する。さらに内筒部２３の下端の導入口２４は閉塞部１２の上面に当接し、内筒部２３の下端の内周面は閉塞部１２の環状の凸部１８の外周面と接触し、液密状態となる。そして、内管２０の係合部２５が外管１０の第二係止部１７と係合することにより、液密状態が保持され、パウチ内の液体内容物が内管２０の中へ流入することが抑制される。なお、外管１０の閉塞部１２に内管２０の導入口２４が当接または近接したとき、閉塞部１２は環状の凸部１８を備えているので凸部１８の外周面と内管２０の内周面と係合して液密状態が保持される。
【００２３】
つぎに図４を参照しながらスパウト１の作用を説明する。
図４に示すように使用前は内管２０が外管１０に嵌挿されセットアップされている。この状態では内管２０の導入口２４は外管１０の閉塞部１２で液密となっており、液体内容物が内管２０に流入することが防がれる。使用の際、内管２０の飲み口２１を引っ張り上げると内管２０の係合部２５が外管１０の第二係止部１７より外れ内管２０の外周面が外管１０の内周面と摺動しながら上昇し、外管１０の流出口部１５と内管２０の導入口２４は連通状態となる。さらに内管２０を引っ張り上げると内管２０の係合部２５が外管１０の第一係止部１６に係合し、内管２０の上昇が停止されると共に内管２０が外管１０に固定される。内管２０の飲み口２１より吸い上げると液体内容物が外管１０の流出口部１５及び内管２０の導入口２４を介して流出し、飲用することができる。本発明のスパウト１は、使用前は内管２０が外管１０に嵌挿されセットアップされた状態であり、コンパクトのためにパウチに省スペースで収納でき、使用の際、内管２０が外管１０に伸縮自在に嵌挿されているので内管２０を容易に延伸することができ、液体内容物の吸飲が容易となるものである。
【００２４】
スパウト１は、樹脂を成形金型内に射出して形成するインジェクション成形法により成形品として形成される。スパウト１に用いる樹脂は、後述するパウチ本体３０を構成する積層体４０の内層４３（図５参照）の樹脂とヒートシールによって相互に熱融着する樹脂が用いられ、例えば、低密度ポリエチレン、中密度ポリエチレン、高密度ポリエチレン、直鎖状（線状）低密度ポリエチレン、ポリプロピレン、エチレン−プロピレン共重合体が挙げられる。レトルト殺菌処理を行う場合にはポリプロピレン、エチレン−プロピレン共重合体が好ましい。
【００２５】
図５は本発明に係るスパウト付きパウチ３の一実施形態を示し、（イ）は一部切り欠いた斜視図、（ロ）はスパウト付きパウチ３のパウチ本体３０の積層構成を示す断面図、（ハ）はその他の実施形態のスパウト付きパウチ３’を示す斜視図である。図５（イ）に示すように本発明のスパウト付きパウチ３は、内容物を注出するスパウト１と、内容物を収容する収容部３５とスパウト１の一方の側を被覆するスパウト被覆部３６に区画する仕切り部３４を備えたパウチ本体３０と、を備え、スパウト１がパウチ本体３０内に収容され密封されると共にスパウト１の接合部１３がパウチ本体３０の仕切り部３４に内容物を注出可能に接合されている。
【００２６】
スパウト１の内管２０の飲み口２１がパウチ本体３０のスパウト被覆部３６で被覆され、外管１０の外筒部１４及び内管２０の内筒部２３の導入口２４側が収容部３５に収容されている。なお、スパウト１は図１乃至図３で説明した通りであり、同符号を付して説明を省略する。
【００２７】
パウチ本体３０は、図５（ロ）に示すように表面の外層４１、中間層４２、内面に熱融着性樹脂からなる内層４３を備えた積層体４０が用いられる。そして、例えば、図５（イ）に示す自立袋のように２枚の積層体４０からなる胴部材３１と底部材３２からなり、胴部材３１の内層４３同士を対向させて配置し、底部材３２の内層４３が外側になるように山折りし胴部材３１の間に挿入し、周縁を熱融着部３３で熱融着させる。上部の熱融着部３３と下部の熱融着部３３の間に上部の熱融着部３３に近い側に胴部材３１と胴部材３１の内層４３の間にスパウト１の接合部１３を挟持させ熱融着し仕切り部３４を形成すると共にスパウト１が取り付けられて構成される。仕切り部３４において、接合部１３と接合されている部分以外は表裏の胴部材３１の内層４３同士が熱融着されている。
【００２８】
パウチ本体３０は、仕切り部３４により収容部３５とスパウト被覆部３６は区画され、さらにスパウト１の導入口２４は閉塞部１２で液密とされているので収容部３５とスパウト被覆部３６は隔離された状態となっている。そして、スパウト１はパウチ本体３０内に密封されているので内容物が充填された製品となったとき、製品の輸送中、保管中、または店頭販売中にスパウト１の飲み口２１に埃が付着したり、人の手に触れたりすることを防止できるので衛生性に優れ、また、スパウト被覆部３６は収容部３５と隔離状態が維持できるのでスパウト被覆部３６には液体内容物が浸入することがなく、開封時に液体内容物の漏れがないものとできる。また、図５にはパウチ本体３０は胴部材３１と底部材３２からなる自立袋の例を示したが、これに限定されず、ガセット袋や三方袋、四方袋等の平袋の形態にすることもできる。
【００２９】
パウチ本体３０を構成する積層体４０は、外層４１、中間層４２、内層４３を、例えば、ウレタン系等のドライラミネート用接着剤を用いて積層するドライラミネーション法やポリオレフィン系樹脂等を熱溶融押出しして積層する押出しラミネーション法により積層することができる。レトルト殺菌処理がある場合にはドライラミネーション法が好ましい。外層４１は、パウチ本体３０を構成する基本素材となることから、機械的、物理的、化学的等において優れた性質を有する合成樹脂製フィルムを用いることができ、ポリプロピレン、ポリエチレンテレフタレート、ナイロン等の二軸延伸フィルム等を用いることができる。あるいは、上記のフィルムにアルミニウム、または、酸化アルミニウム、酸化珪素、酸化インジウム、酸化錫、酸化ジルコニウム等の無機物を蒸着して蒸着層を設けたものを用いることができる。通常、外層４１には印刷が施されることが多く、印刷適性が必要であるから二軸延伸フィルムが好ましい。外層を構成するフィルムの厚さとしては、基本素材としての強度、剛性などについて必要最低限に保持され得る厚さであればよいのであって、コストなどを勘案して決めればよいが、通常、９〜５０μｍ程度である。
【００３０】
中間層４２には、剛性や遮光性あるいはガスバリア性等が包装条件、輸送条件、内容物の保護機能条件により要求される場合に設けるものであり、上記外層４１に用いられるフィルムや上記蒸着層を設けたフィルム、アルミニウム、鉄等の金属箔等が使用できる。また、これらのフィルム等を一種以上、組合わせて積層したものでもよい。また、要求品質により中間層４２を省略することもできる。
【００３１】
内層４３としては熱融着性樹脂が用いられ、レトルト殺菌処理の場合には、未延伸のポリプロピレンやポリプロピレンにエラストマー成分をブレンドした未延伸ポリプロピレン（ＣＰＰ）、高密度ポリエチレン（ＨＤＰＥ）等が使用できる。ボイル処理の場合には低密度ポリエチレン（ＬＤＰＥ）、中密度ポリエチレン（ＭＤＰＥ）、線状低密度ポリエチレン（ＬＬＤＰＥ）、エチレン−酢酸ビニル共重合体（ＥＶＡ）、アイオノマー、エチレン−アクリル酸共重合体（ＥＡＡ）、エチレン−アクリル酸エチル共重合体、エチレン−メタクリル酸共重合体等の未延伸フィルムが使用される。パウチ本体３０を構成する積層体４０の２〜３の具体例を示す。
ＰＥＴ／ＤＬ／ＡＬ／ＤＬ／ＯＮ／ＤＬ／ＣＰＰまたはＬＬＤＰＥ
ＰＥＴ／ＤＬ／ＯＮ／ＤＬ／ＡＬ／ＤＬ／ＣＰＰまたはＬＬＤＰＥ
ＶＭＰＥＴ／ＤＬ／ＯＮ／ＤＬ／ＣＰＰまたはＬＬＤＰＥ
ＰＥＴ／ＤＬ／ＶＭＯＮ／ＤＬ／ＣＰＰまたはＬＬＤＰＥ
ＶＭＰＥＴ／ＤＬ／ＣＰＰまたはＬＬＤＰＥ
ＶＭＯＮ／ＤＬ／ＣＰＰまたはＬＬＤＰＥ
ＰＥＴ    ：二軸延伸ポリエチレンテレフタレートフィルム
ＯＮ      ：二軸延伸ナイロンフィルム
ＡＬ      ：アルミニウム箔
ＶＭＰＥＴ：酸化珪素または酸化アルミを蒸着したＰＥＴ
ＶＭＯＮ  ：酸化珪素または酸化アルミを蒸着したＯＮ
ＣＰＰ    ：未延伸ポリプロピレンフィルム
ＬＬＤＰＥ：線状低密度ポリエチレン
ＤＬ      ：接着剤（ドライラミネーション法）
【００３２】
また、本発明のスパウト付きパウチ３は、図５（イ）に示すようにパウチ本体３０のスパウト被覆部３６の側に仕切り部３４の上縁に沿って開封用切取線３７が設けられ、開封用切取線３７の両端の熱融着部３３には外縁から内側にＶ字状のノッチ３８が設けられている。このような構成とすることにより、スパウト付きパウチ３はノッチ３８を起点として開封用切取線３７より容易に開封することができ飲み口２１を露出させることができるので好ましい。
【００３３】
開封用切取線３７を設ける方法としては、例えば、加熱された熱針を押圧するニードルパンチ法やエンボスロール法等を用いてフィルムを溶融し、穿孔する熱溶融穿孔法、ナイフ、カッター等を用いる物理的穿孔法、レーザービーム加工、コロナ放電、プラズマ放電等の加工法等の方法が挙げられる。
【００３４】
開封用切取線３７の切目の形状としては、直線状、曲線状、ミシン目線状、破線状等の任意の形状でよく、その本数は、一本または複数本でもよい。また、切目の構造は、貫通孔、ハーフカットの状態あるいはそれらが混在する状態のいずれの状態でもよい。なお、ハーフカットにする場合には、例えば、パルス発振型レーザーにより刻設することができ、パルス発振型レーザーの波長を選択することで、外層４１のみに開封用切取線３７を刻設することもできる。
【００３５】
図５（ハ）はスパウト付きパウチのその他の実施形態を示す斜視図であって、図５（イ）とはスパウト被覆部３６の形状が異なる以外は同じである。スパウト付きパウチ３’は、図５（ハ）に示すようにスパウト被覆部３６’において、飲み口２１の周辺を熱融着部で囲み仕切り部３４の上部の両側を切り欠き、スパウト被覆部３６’の左右の長さが収容部３５の左右の長さより短くされた形態である。スパウト付きパウチ３’は開封用切取線３７の長さが短くなるので開封が容易となる。
【００３６】
図６は本発明に係るスパウト付きパウチ３の使用方法を説明する説明図であり、図６を参照しながらスパウト付きパウチ３の使用方法を説明する。図６（イ）に示すように液体内容物が充填されたスパウト付きパウチ３は、先ず、ノッチ３８より開封用切取線３７に沿って胴部材３１を引裂き開封する。そして、切り取られた切取片３６ａを取り除くと図５（ロ）に示すようにスパウト１の内管２０の飲み口２１及び外管１０の接合部１３が露出する。そして、内管２０の飲み口２１を引っ張り上げると内管２０の係合部２５が外管１０の第二係止部１７より外れ内管２０の外周面が外管１０の内周面と摺動しながら上昇し、外管１０の流出口部１５と内管２０の導入口２４は連通状態となる。さらに内管２０を引っ張り上げると内管２０の係合部２５が外管１０の第一係止部１６に係合し、内管２０の上昇が停止されると共に内管２０が外管１０に固定され、図６（ハ）に示す状態となる。その後、内管２０の飲み口２１より吸飲すると液体内容物が外管１０の流出口部１５及び内管２０の導入口２４を介して内筒部２３を流路として流出し、飲用することができる。スパウト１は、内管２０が外管１０に伸縮自在に嵌挿されているので容易に延伸して飲用できるので便利なものとなる。
【００３７】
本発明のスパウト１及びスパウト付きパウチ３は、レトルト殺菌処理ができ、栄養剤ドリンク、スープ類、コーヒー飲料、ゼリー状飲料等の内容物が収納でき、特にレトルト殺菌処理できる用途にも適用できる。
【００３８】
なお、今まで説明してきた一実施形態は、本発明に係るスパウト及びスパウト付きパウチの代表的な実施例を挙げたものであって、本発明に係るスパウト及びスパウト付きパウチはこれに限るものではなく、本発明の趣旨を逸脱しない範疇のものは、すべて本発明に含まれるものである。
【符号の説明】
【００３９】
１                  スパウト
１０                外管
１１                開口部
１２                閉塞部
１３                接合部
１４                外筒部
１５                流出口部
１６                第一係止部
１７                第二係止部
１８                凸部
２０                内管
２１                飲み口
２２                段部
２３                内筒部
２４                導入口
２５                係合部
３、３’            スパウト付きパウチ
３０                パウチ本体
３１                胴部材
３２                底部材
３３                熱融着部
３４                仕切り部
３５                収容部
３６、３６’        スパウト被覆部
３６ａ              切取片
３７                開封用切取線
３８                ノッチ
４０                積層体
４１                外層
４２                中間層
４３                内層
【図１】
2019064712.tif 000003
【図２】
2019064712.tif 000004
【図３】
2019064712.tif 000005
【図４】
2019064712.tif 000006
【図５】
2019064712.tif 000007
【図６】
2019064712.tif 000008